(57)【要約】      （修正有）【課題】日本の伝統的な茅、シダ等を備えの古民家的な屋根を設け、携帯にも装飾にも飽きずに鑑賞可能な屋根付き電源三種類を備えたＬＥＤ照明器具を提供する。【解決手段】土台、柱、梁、軒桁等を設け、茅、シダ等を複数本に束を作り軒桁の上端に積み重ねて屋根を設け屋根の下端に枠を設け枠内部にＬＥＤ照明器具を設け、また、電源三種類を備え、災害防災対策に、避難誘導灯にも成り携帯にも設けた。ＬＥＤの人検知センサ−（タイマ−）作動反応でＬＥＤ点灯と同時に音響を有し、前記ＬＥＤの人検知センサ−は外部に感知をする場所に設けられている。【選択図】図１
0003224110.tif 000002
【実用新案登録請求の範囲】
【請求項１】
茅、シダ等を備えの古民家的な屋根を設け、前記屋根の下端に枠を設け枠内にＬＥＤ照明器具を設けたことを特徴とする屋根付き電源三種類を備えたＬＥＤ照明器具。
【請求項２】
前記ＬＥＤをオンオフする人検知センサ−を有し、前記人検知センサ−でＬＥＤ点灯（タイマ−）消灯を有し点灯と同時に音響を有し、前記音響に関わる録音を交換にも設ける、前記人検知センサ−は外部に感知をする場所に設けられていることを特徴とする請求項１記載の屋根付き電源三種類を備えたＬＥＤ照明器具。
【請求項３】
前記ＬＥＤの電源は、商用電源供給ＡＣから変換されるＤＣ電源と、商用電源停電の場合の蓄電池と乾電池電源との電源三種類から成ることを特徴とする請求項１記載の屋根付き電源三種類を備えたＬＥＤ照明器具。
【考案の詳細な説明】
【技術分野】
【０００１】  本考案は屋根付き電源三種類を備えたＬＥＤ照明器具に係わるものである。
【背景技術】
【０００２】  従来の照明器具に取り付けられている本体板の表示が開示されている（特許文献１，２参照）。センサーライトの本体に取り付けられている人検知センサーの表示が開示されている（特許文献３参照）
【先行技術文献】
【特許文献】
【０００３】
【特許文献１】特許公開５５９７８３０号公報
【特許文献２】特開２０１８−０７８１１５号公報
【特許文献３】実用新案３１９４８１４号公報
【考案の概要】
【考案が解決しようとする課題】
【０００４】  しかし、従来の照明器具の本体板に課題が有り、センサーライトの本体に人検知センサーを取り付けてあり課題もあった。【０００５】  本考案は、このような課題に着目してなされたもので古民家的な、茅、シダ等を設け屋根と成る、屋根の下端に枠を設け枠内にＬＥＤ照明器具を設け、人検知センサ−は外部に設け、屋根付き電源三種類を備えたＬＥＤ照明器具を提供することを目的とする。
【課題を解決するための手段】
【０００６】  前記の目的を達成するために、本考案に係わる屋根付き電源三種類を備えたＬＥＤ照明器具は、土台、柱、梁、壁、垂木、茅、シダ等で屋根を設け、前記柱と柱の間に壁を設け、前記壁を四角形状に設け枠とする、前記枠に明かりを透す壁を設け、前記屋根と枠に設けられたこれを屋根付き枠とする、前記屋根付き枠とＬＥＤ照明器具とに区分に設けたことを特徴とする。【０００７】  本考案に係わる、前記垂木の上端に茅、シダ等を備え屋根に設けたことを特徴とする。【０００８】  本考案に係わる、土台の下端に底板を設け底板と屋根の上端と棟に通気口を複数孔に設けたことを特徴とする。【０００９】  本考案に係わる、枠内にＬＥＤ照明器具を設けたことを特徴とする。【００１０】  本考案に係わる、屋根付き電源三種類を備えたＬＥＤ照明器具は、商用電源供給ＡＣから変換されるＤＣ電源を設けたＬＥＤ点灯、消灯を有し、商用電源供給停電の場合に制御装置により蓄電池電源からＬＥＤ点灯、消灯を有し、さらに、商用電源供給停電の場合の前記蓄電池電圧の消耗と共に制御装置で切り替わり乾電池電源からＬＥＤ点灯、消灯を有し、前記乾電池電圧の消耗と共に再度乾電池を取り替えることを設けた、商用電源供給停電復旧後、蓄電池、乾電池の電源回路は遮断と成る電源三種類を備えたことを特徴とする。【００１１】  本考案に係わる、人検知センサーを設け人検知センサー（タイマー）の作動の反応でＬＥＤ点灯、消灯を有し、前記ＬＥＤ点灯と同時に音響を有し消灯と成る、人検知センサーは外部に感知をする場所に設けたことを特徴とする。
【考案の効果】
【００１２】  本考案に係わる、屋根付き電源三種類を備えたＬＥＤ照明器具の構成は、前記のとおりで和風的な古民家の屋根に茅、シダ等を設けたものである。
【図面の簡単な説明】
【００１３】
【図１】  本考案に係わる実施、形態の屋根付き電源三種類を備えたＬＥＤ照明器具の壁と枠の仮枠を示す斜視図である。
【図２】  本考案に係わる実施、形態の屋根付き電源三種類を備えた屋根と壁を示す斜視図である。
【図３】  本考案に係わる実施、形態の屋根付き電源三種類を備えたＬＥＤ照明器具の図２に表せない所と関係する展開図を示す斜視図である。
【図４】  本考案に係わる実施、形態の屋根付き電源三種類を備えたＬＥＤ照明器具の人検知センサーの取り付けを示す斜視図である。
【図５】  本考案に係わる実施、形態の屋根付き電源三種類を備えたＬＥＤ照明器具の分解を示す斜視図である。
【図６】  本考案に係わる実施、形態の屋根付き電源三種類を備えたＬＥＤ照明器具の配線図と電源三種類を備えた斜視図である。
【考案を実施するための形態】
【００１４】  以下、図面に基づき本考案の実施の形態について説明する。
図１に示すように、厚紙等を使用し、壁の仮枠と下端に底板を設け、壁に窓枠の図形書記を設け仮枠を作る。
仮枠イの上端に窓枠１８と仮枠ハの上端に窓枠１８ａを図形書記に設ける、仮枠イの１と仮枠ロの１と合わせ合わせた所に粘着テープ等で仮止めを設ける、仮枠ロの２と仮枠ハの２と合わせ合わせた所に粘着テープ等で仮止めを設ける、仮枠ハの３と仮枠ニの３と合わせ合わせた所に粘着テープ等で仮止めを設ける、仮枠ニの４と仮枠イの４と合わせ合わせた所に粘着テープ等で仮止めを設け四角形状仮枠ホと成る、四角形状仮枠ホの下端に内部側に仮底板へを設ける。
【００１５】  図２に示すように、前記四角形状仮枠ホに構造軸組を設け構造軸組に粘着テープ等で仮止めを設ける、構造軸組と構造軸組の繋ぎの所に接着剤等で固定を設ける。
前記四角形状仮枠ホに土台１１，１１ａ，１１ｂ，１１ｃを設け、前記土台の上端に柱１２，１２ａ，１２ｂ，１２ｃを設け、前記柱の上端に小屋梁１３，１３ａと軒桁１４，１４ａを設け、前記小屋梁の上端に壁１７，１７ａ（１７ａは図２に表せない所を展開図で表した図３参照）を設け、前記壁に窓枠１８，１８ａ（１８ａは図２に表せない所を展開図で表した図３参照）を設け、前記壁１７，１７ａの上端に棟木１５を設け、前記軒桁１４，，１４ａの上端に垂木１６，１６ａ，１６ｂ複数本に設ける。
【００１６】  前記垂木の上端に茅、シダ等２６，２６ａを束ね端側１６ｃの角付近から斜めに垂木１６，１６ａ，１６ｂに沿って積み重ね垂木１６，１６ａ，１６ｂに結束し、端側１６ｃの間は下段から茅、シダ等２６，２６ａの上段に茅、シダ等２６ｂ，２６ｃを束ね積み重ね垂木１６，１６ａ，１６ｂに沿って前記垂木に結束を設け屋根１９，１９ａとなる。
【００１７】  前記屋根の上端に棟２０を設け棟２０に前記垂木に沿って茅、シダ等２０ａを束ね高く積み重ね勾配２０ｂに設け棟２０と成る、茅、シダ等２０ａの上端に梯子状２０ｃのようなものを設け梯子状２０ｃを棟木１５に結束を設け、棟２０の中央に通気口２１を長形状に設けと棟２０の下端左右側に通気口２１ａ，２１ｂ（２１ｂは図３参照）を設け、前記屋根１９，１９ａと棟２０の茅、シダ等２０ａの端等を鋏等で形状に整える後、前記構造軸組構成と成る、構成後仮枠を撤去。
【００１８】  前記柱１２，１２ａ，１２ｂ，１２ｃとの間に壁２２，２２ａ，２２ｂ，２２ｃを設け、前記壁の内部側に明かりを透す壁と前記柱と土台に粘着剤等で貼り付ける。前記壁１７，１７ａ（１７ａは図３参照）の窓枠１８，１８ａ（１８ａは図３参照）の壁１８ｂ，１８ｃ（１８ｃは図３参照）の内部側に明かりを透す壁と前記窓枠に粘着剤等で貼り付ける。
【００１９】  図３に示すように、図２に表せない所と関係する展開図で表した。
土台１１，１１ａ，１１ｂ，１１ｃ柱１２，１２ａ，１２ｂ，１２ｃを設け、前記柱と柱の間に壁２２，２２ａ，２２ｂ，２２ｃを設け、前記小屋梁１３，１３ａの上端に壁１７，１７ａを設け、前記壁に窓枠１８，１８ａを設け、前記窓枠に壁１８ｂ，１８ｃを設け、棟２０の上端中央に通気口２１と棟２０の下端に通気口２１ａ，２１ｂと底板２２ｄに通気口２２ｆ，２２ｇと筒脚２３と筒脚２３の孔２３ａの展開図に表した。
【００２０】  図４に示すように、人検知センサ−７は、外部に感知をする場所に設けネジ７ｃ，７ｄ等で取り付けを設ける。
【００２１】  図５に示すように、筒脚２３を設け、筒脚２３の孔２３ａを底板２２ｄとソケット台座６ｂの中央に前記孔２３ａを設け、ソケット台座６ｂと筒脚２３の外径を避け底板２２ｄに明かりを透す強い底板２２ｄに通気口２２ｆ，２２ｇを複数孔に設ける。ソケット６ａとソケット台座６ｂと底板２２ｄと筒脚２３をビス６ｅで固定に設け、筒脚２３の孔２３ａを台座２４の中央に孔２４ａを設け、筒脚２３を台座２４からビス２３ｃで固定と成る。
【００２２】  図５，２に示すように、底板２２ｄを、前記土台１１，１１ｂ（図２参照）の内部側に設け、底板２２ｄから土台１１，１１ｂにビス２２ｈ，２２ｉで固定と成る。
【００２３】  図５に示すように、台座２４は箱状の内部に電源部（ａｃ−ｄｃ変換）２、制御装置５、蓄電池３、乾電池４を設け、台座２４の箱状の側面に装飾２４ｂを設け、装飾２４ｂの要所に隙間２４ｃを設け、台座２４の上端に音響ｄを設け、前記音響ｄに係わる録音ｆを設け録音ｆを交換を有し、埋め込みプラング１ｂと埋め込みプラング１ｂに開閉蓋１ｃと電源プラングコ−ド１ａを設ける、商用電源供給スイッチａ、蓄電池、乾電池用スイッチｂと３路スイッチｃと音量調整スイッチｅを台座２４の上端に設け、底蓋２５は箱状の底面内部に設け取り付け取り外しのビス２５ａ，２５ｂ複数本に設ける。
【００２４】  図５，２に示すように、台座２４からＬＥＤ６の配線６ｇは台座２４から筒脚２３と底板２２ｄとソケット台座６ｂを通りＬＥＤ６と接続となる、また、人検知センサ−７（図６参照）の配線７ａは、台座２４の側面に配線孔７ｅを設け配線孔７ｅから外部に感知をする場所に設ける。
【００２５】  図５，６に示すように、屋根付き電源三種類を備えたＬＥＤ照明器具の操作について説明をする。
商用電源供給の場合の台座２４に設けてある埋め込みプラング１ｂに電源プラングコ−ド１ａ（図５参照）を差し込み商用電源供給スイッチａ、ｏｎ（図６参照）の状態で電源部（電源ａｃからｄｃに変換器され）２から蓄電池３充電となると同時に制御装置５の接点５ａと３路スイッチｃの接点ｃ１を通電しＬＥＤ６点灯と成る。
また、人検知センサ−７（タイマ−）作動を行なうには３路スイッチｃの接点ｃ２に切り替えを行なうと人検知センサ−７（タイマ−）作動の反応でＬＥＤ６点灯と成ると同時に音響ｄを有し消灯となる。
【００２６】  前記商用電源停電の場合の蓄電池３から通電し制御装置５の接点３３とスイッチｂのｏｎの状態で通電し制御装置５の接点５ｂを通電し３路スイッチｃの接点ｃ１でＬＥＤ６点灯となる、また、人検知センサ−７（タイマ−）作動を行なうには３路スイッチｃの接点ｃ２に切り替えを行なうと人検知センサ−７（タイマ−）作動の反応でＬＥＤ６点灯と成ると同時に音響ｄを有し消灯となる。
【００２７】  前記商用電源停電の場合の蓄電池３の電圧が消耗し乾電池４から通電し同時に制御装置５の接点３３から接点４４に切り替わりスイッチｂのｏｎの状態で通電し制御装置５の接点５ｂを通電し３路スイッチｃの接点ｃ１でＬＥＤ６点灯となる、また、人検知センサ−７（タイマ−）作動を行なうには３路スイッチｃの接点ｃ２に切り替えを行なうと人検知センサ−７（タイマ−）作動の反応でＬＥＤ６点灯と成ると同時に音響ｄを有し消灯となる。
前記音響ｄに係わる録音ｆを交換にも設け、また、音響ｄ不要の時に音量調整スイッチｅでｏｆｆにする。
前記ＬＥＤ点灯不要時に商用電源供給スイッチａとスイッチｂをｏｆｆにする。
【符号の説明】
【００２８】    イ  仮枠
ロ  仮枠
ハ  仮枠
ニ  仮枠
ホ  四面形状仮枠
ヘ  仮底
ａ  商用電源供給スイッチ
１ａ  電源プラングコ−ド
１ｂ  埋め込みプラング
１ｃ  埋め込みプラング開閉蓋
２  電源部（ａｃ−ｄｃ変換器）
３  蓄電池
４  乾電池
ｂ  蓄電池、乾電池スイッチ
ｃ  ３路スイッチ
ｄ  音響
ｅ  音量調整スイッチ
ｆ  録音
ｃ１  接点
ｃ２  接点
５  制御装置
５ａ  接点
５ｂ  接点
３３  接点
４４  接点
６  ＬＥＤ
６ａ  ソケット
６ｂ  ソケット台座
６ｅ  取り付けビス孔
６ｇ  配線
７  人検知センサ−
７ａ  配線
７ｃ  取り付けビス
７ｄ  取り付けビス
７ｅ  配線孔
１１  土台
１１ａ  土台
１１ｂ  土台
１１ｃ  土台
１２  柱
１２ａ  柱
１２ｂ  柱
１２ｃ  柱
１３  小屋梁
１３ａ  小屋梁
１４  軒桁
１４ａ  軒桁
１５  棟木
１６  垂木
１６ａ  垂木
１６ｂ  垂木
１６ｃ  端側
１７  壁
１７ａ  壁
１８  窓枠
１８ａ  窓枠
１８ｂ  壁
１８ｃ  壁
１９  屋根
１９ａ  屋根
２０  棟
２０ａ  茅、シダ等
２０ｂ  勾配
２０ｃ  梯子状
２１  通気口
２１ａ  通気口
２１ｂ  通気口
２２  壁
２２ａ  壁
２２ｂ  壁
２２ｃ  壁
２２ｄ  底板
２２ｆ  通気口
２２ｇ  通気口
２２ｈ  取り付けビス
２２ｉ  取り付けビス
２３  筒脚
２３ａ  孔
２３ｃ  ビス
２４  台座
２４ａ  孔
２４ｂ  装飾
２４ｃ  隙間
２５  底蓋
２５ａ  底蓋取り付けビス
２５ｂ  底蓋取り付けビス
２６  茅、シダ等
２６ａ  茅、シダ等
２６ｂ  茅、シダ等
２６ｃ  茅、シダ等
【図１】
0003224110.tif 000003
【図２】
0003224110.tif 000004
【図３】
0003224110.tif 000005
【図４】
0003224110.tif 000006
【図５】
0003224110.tif 000007
【図６】
0003224110.tif 000008
【手続補正書】
【提出日】令和1年7月11日(2019.7.11)
【手続補正１】
【補正対象書類名】明細書
【補正対象項目名】００２５
【補正方法】変更
【補正の内容】
【００２５】  図６に示すように、屋根付き電源三種類を備えたＬＥＤ照明器具の操作について説明をする。
商用電源供給の場合の台座２４に設けてある埋め込みプラング１ｂに電源プラングコ−ド１ａを差し込み商用電源供給スイッチａ、ｏｎ（図６参照）の状態で電源部２（電源ａｃからｄｃに変換器され）から通電し制御装置５の接点５ｂから接点５ａに切り替わり３路スイッチｃ接点ｃ１かｃ２を通電しいずれかのＬＥＤ６点灯か、又は、人検知センサ−７の点灯かである。
また、蓄電池３を充電になると制御装置５の接点４４から接点３３に切り替わっても点灯はしない。
商用電源供給停電の場合に制御装置５の接点５ａから接点５ｂに切り替わる。
人検知センサ−７（タイマ−）作動を行なうには３路スイッチｃ接点ｃ２に切り替えを行なうと人検知センサ−７（タイマ−）作動の反応でＬＥＤ６点灯と成ると同時に音響ｄを有し消灯となる。
【手続補正２】
【補正対象書類名】明細書
【補正対象項目名】００２６
【補正方法】変更
【補正の内容】
【００２６】  前記、商用電源供給停電で蓄電池３から通電し前記制御装置５の接点３３を通電しスイッチｂのｏｎの状態で制御装置５の接点５ｂを通電し３路スイッチｃ接点ｃ１かｃ２を通電しいずれかのＬＥＤ６点灯か、又は、人検知センサ−７の点灯かである。
また、蓄電池３の電圧が消耗すると制御装置５の接点３３から接点４４に切り替わる。
人検知センサ−７（タイマ−）作動を行なうには３路スイッチｃ接点ｃ２に切り替えを行なうと人検知センサ−７作動の反応でＬＥＤ６点灯と成ると同時に音響ｄを有し消灯と成る。
【手続補正３】
【補正対象書類名】明細書
【補正対象項目名】００２７
【補正方法】変更
【補正の内容】
【００２７】  前記、蓄電池３の電圧が消耗し乾電池４から通電し前記制御装置５の接点４４を通電しスイッチｂのｏｎの状態で制御装置５の接点５ｂを通電し３路スイッチｃ接点ｃ１かｃ２を通電しいずれかのＬＥＤ６点灯か、又は、人検知センサ−７の点灯かである。
人検知センサ−７（タイマ−）作動を行なうには３路スイッチの接点ｃ２に切り替えを行なうと人検知センサ−７作動の反応でＬＥＤ６点灯と成ると同時に音響ｄを有し消灯と成る。
前記、音響ｄに係わる録音ｆを交換にも設け、また、音響ｄ不要の時に音量調整スイッチｅでＯｆｆにする。
前記、ＬＥＤ６点灯不要時に商用電源供給スイッチａとスイッチｂをＯｆｆにする。
【手続補正４】
【補正対象書類名】図面
【補正対象項目名】図６
【補正方法】変更
【補正の内容】
【図６】
0003224110.tif 000009
【手続補正書】
【提出日】令和1年8月5日(2019.8.5)
【手続補正１】
【補正対象書類名】実用新案登録請求の範囲
【補正対象項目名】請求項２
【補正方法】変更
【補正の内容】
【請求項２】
前記ＬＥＤ照明器具をオンオフする人検知センサ−と、音響装置とを有し、前記人検知センサ−は前記音響装置をオンオフするように構成されており録音装置を有することを特徴とする請求項１記載の屋根付き電源三種類を備えたＬＥＤ照明器具。